(57)【要約】【課題】メンブレンスイッチを用いたスイッチ装置において、押される方向等によってオン状態にするために必要な力のバラツキが少ないスイッチ装置を得る。【解決手段】メンブレンスイッチと、前記メンブレンスイッチの上に設置されるラバードームと、を有し、前記メンブレンスイッチは、上部シートと下部シートとがスペーサを介し配置されており、前記上部シートに設けられた上部接点と、下部シートに設けられた下部接点とが対向しており、前記ラバードームの外側の上部を斜めに押すことにより、前記ラバードームが変形して、前記ラバードームの内側の下部が、前記メンブレンスイッチの前記上部シートの外側の面と接触するものであって、前記ラバードームの下部の中心は、前記ラバードームの上部の中心に対し、斜めに押される側にずれていることを特徴とするスイッチ装置により上記課題を解決する。【選択図】  図９
2019125424.tif 000002
【特許請求の範囲】
【請求項１】
メンブレンスイッチと、
前記メンブレンスイッチの上に設置されるラバードームと、
を有し、
前記メンブレンスイッチは、上部シートと下部シートとがスペーサを介し配置されており、前記上部シートに設けられた上部接点と、下部シートに設けられた下部接点とが対向しており、
前記ラバードームの外側の上部を斜めに押すことにより、前記ラバードームが変形して、前記ラバードームの内側の下部が、前記メンブレンスイッチの前記上部シートの外側の面と接触するものであって、
前記ラバードームの下部の中心は、前記ラバードームの上部の中心に対し、斜めに押される側にずれていることを特徴とするスイッチ装置。
【請求項２】
前記ラバードームの下部は、半球状の球面又は非球面であることを特徴とする請求項１に記載のスイッチ装置。
【請求項３】
操作部と、
前記操作部を押すことにより動作するアクチュエータと、
を有し、
前記操作部を押すことにより、前記アクチュエータが前記ラバードームの上部を斜めに押すことを特徴とする請求項１または２に記載のスイッチ装置。
【請求項４】
前記ラバードームは２つ設けられており、
前記操作部を押すことにより、２つの前記ラバードームの内の一方が前記アクチュエータにより押され、２つの前記ラバードームの内の一方の下部が、前記メンブレンスイッチの上部シートを押し、対応する一方の上部接点と一方の下部接点とが接触し、
前記一方の上部接点と前記一方の下部接点とが接触した状態で、２つの前記ラバードームの内の他方が前記アクチュエータにより押され、２つの前記ラバードームの内の他方の下部が、前記メンブレンスイッチの上部シートを押し、対応する他方の上部接点と他方の下部接点とが接触するものであることを特徴とする請求項３に記載のスイッチ装置。
【発明の詳細な説明】
【技術分野】
【０００１】
本発明は、スイッチ装置に関するものである。
【背景技術】
【０００２】
スイッチ装置として、２つのスイッチとを有する２段スイッチが存在している。この２段スイッチは、スイッチを押す押下部材を押した際、最初に一方のスイッチがオンとなり、次に、他方のスイッチ部がオンとなるものであり、２段階でオンオフ動作を行うことができる。このような２段スイッチは、様々な用途、例えば、パワーウィンドウの操作用スイッチ等に用いられている。
【先行技術文献】
【特許文献】
【０００３】
【特許文献１】特開２０００−１１８０７号公報
【発明の概要】
【発明が解決しようとする課題】
【０００４】
ところで、上記のような２段スイッチは、基板の表面に２つの固定接点部と、この２つの固定接点部を覆うように設置され、内側には可動接点部が設けられたラバードームとを有している。２段スイッチでは、押下部材を押すことによりラバードームが基板側に変形し、ラバードームの内側に設けられた可動接点が、基板の表面に設けられた２つの固定接点部と接触することにより、スイッチが閉じられオンとなる。２段スイッチでは、このようなスイッチが２つ設けられており、押下部材と２つのラバードームとの間にアクチュエータを設けることにより、２つのスイッチをタイミングをずらしてオンにすることができるものである。即ち、一方のスイッチがオン動作した後に、他方のスイッチがオン動作させることができる。
【０００５】
このような２段スイッチを自動車のパワーウィンドウの操作用スイッチとして用いた場合には、一方のスイッチのオン期間中だけドアガラスを上下動作せるマニュアルモードとして用い、続けて他方のスイッチがオンとなったときには、その後にオフとなっても、ドアガラスを窓の閉鎖位置または開放位置まで自動的に動作させるオートモードとして用いるような、使い分けをすることができる。
【０００６】
ところで、このような２段スイッチでは、薄型化や軽量化のため、表面に固定接点部を設けた基板に代えて、メンブレンスイッチを用いた構造のものの市場からの要求は高い。このような、メンブレンスイッチを用いた構造のスイッチ装置の場合には、各々のスイッチにおけるラバードームが斜めに押されると、押される方向等によっては完全にオン状態にするために必要な力加減にバラツキが生じ、良好な操作性が得られない場合がある。
【０００７】
このため、メンブレンスイッチを用いたスイッチ装置において、押される方向等によってオン状態にするために必要な力のバラツキのないスイッチ装置が求められている。
【課題を解決するための手段】
【０００８】
本実施の形態の一観点によれば、メンブレンスイッチと、前記メンブレンスイッチの上に設置されるラバードームと、を有し、前記メンブレンスイッチは、上部シートと下部シートとがスペーサを介し配置されており、前記上部シートに設けられた上部接点と、下部シートに設けられた下部接点とが対向しており、前記ラバードームの外側の上部を斜めに押すことにより、前記ラバードームが変形して、前記ラバードームの内側の下部が、前記メンブレンスイッチの前記上部シートの外側の面と接触するものであって、前記ラバードームの下部の中心は、前記ラバードームの上部の中心に対し、斜めに押される側にずれていることを特徴とする。
【発明の効果】
【０００９】
開示のスイッチ装置によれば、メンブレンスイッチを用いたスイッチ装置において、押される方向等によってオン状態にするために必要な力のバラツキが少なくなる。
【図面の簡単な説明】
【００１０】
【図１】本実施の形態におけるスイッチ装置の分解斜視図
【図２】本実施の形態におけるスイッチ装置の斜視図
【図３】本実施の形態におけるスイッチ装置の構造図
【図４】本実施の形態におけるスイッチ装置の断面図（１）
【図５】本実施の形態におけるスイッチ装置の断面図（２）
【図６】本実施の形態におけるスイッチ装置のラバードームシートの斜視図
【図７】本実施の形態におけるスイッチ装置のメンブレンスイッチの説明図
【図８】ラバードームの説明図
【図９】本実施の形態におけるスイッチ装置のラバードームの説明図（１）
【図１０】本実施の形態におけるスイッチ装置のラバードームの説明図（２）
【図１１】本実施の形態におけるスイッチ装置のラバードームの変形例の説明図
【図１２】本実施の形態におけるスイッチ装置の他のメンブレンスイッチの説明図
【発明を実施するための形態】
【００１１】
実施するための形態について、以下に説明する。尚、同じ部材等については、同一の符号を付して説明を省略する。尚、本願においては、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１２】
（２段スイッチ）
本実施の形態におけるスイッチ装置である２段スイッチについて説明する。図１は、本実施の形態におけるスイッチ装置である２段スイッチの分解斜視図であり、図２は斜視図であり、図３（ａ）は側面図であり、図３（ｂ）は上面図である。図４は、図３（ｂ）における一点鎖線３Ａ−３Ｂにおいて切断した断面図であり、図５は、図３（ｂ）における一点鎖線３Ｃ−３Ｄにおいて切断した断面図である。
【００１３】
本実施の形態におけるスイッチ装置は、操作部１０、支持部２０、２つのアクチュエータ３０Ａ、３０Ｂ、ラバードームシート４０、メンブレンスイッチ６０、下ケース８０等を有している。
【００１４】
操作部１０は、本実施の形態におけるスイッチ装置を操作者が触れて操作するための部分であり、耐熱性のＡＢＳ樹脂（acrylonitrile butadiene styrene copolymer）等の合成樹脂により射出成形により形成されている。操作部１０は箱形の形状で形成されており、操作部１０の上面は、操作者が押す操作面１１となっている。
【００１５】
操作部１０は、図２の一点鎖線１Ａに示される中心軸を中心に回動することができるように支持部２０に取り付けられている。これにより操作者の指等により、操作部１０の操作面１１を上から、即ち、Ｚ１方向の側より押すと、操作部１０がＺ２方向に動く。従って、図３（ａ）における破線矢印Ａに示すように、操作部１０を上下動作させることができる。
【００１６】
操作部１０の内側には、図４及び図５に示されるように、操作面１１の裏側の天井面１２から、Ｚ２方向に延びる２つの突起部１３ａ、１３ｂが形成されている。これらの２つの突起部１３ａ、１３ｂのうちの一方の突起部１３ａはアクチュエータ３０Ａに対応するものであり、他方の突起部１３ｂはアクチュエータ３０Ｂに対応するものである。
【００１７】
支持部２０は、耐熱性のＡＢＳ樹脂等の合成樹脂により、射出成形により形成されている。支持部２０は、上部となるＺ１方向側が操作部１０を支持する部分であり、下部となるＺ２方向側が上ケース２１となっている。支持部２０の上部には、Ｚ１方向に延びる壁面の内側に対向して凸部が設けられており、この凸部と、この凸部に対応した操作部１０の内側に設けられた不図示の係合部により、操作部１０を回動可能な状態で支持している。
【００１８】
下ケース８０は箱状の形状をしており、上ケース２１が設けられている支持部２０と同様に、耐熱性のＡＢＳ樹脂等の合成樹脂を用いて射出成形により形成されている。本実施の形態におけるスイッチ装置においては、支持部２０における上ケース２１と下ケース８０とを接続することにより、内部に空間を有する箱体が形成され、この箱体の内部に、アクチュエータ３０Ａ、３０Ｂ、ラバードームシート４０、メンブレンスイッチ６０等が収納されている。
【００１９】
アクチュエータ３０Ａ、３０Ｂは、ポリオキシメチレン樹脂（ＰＯＭ：polyoxymethylene）等の合成樹脂により、射出成形により形成されている。アクチュエータ３０Ａ、３０Ｂは、各々矩形で平板状の本体部３１と、本体部３１のＺ２方向側に設けられた押下部３２とを有している。アクチュエータ３０Ａ、３０Ｂの押下部３２のＺ２方向側の底面３２ａには、２つの凸部３３、３４がＸ１−Ｘ２方向の両側に設けられている。
【００２０】
アクチュエータ３０Ａ、３０Ｂの本体部３１のＺ１方向側の上面３５は、各々のアクチュエータ３０Ａ、３０Ｂに対応する操作部１０の内側に設けられた突起部１３ａ、１３ｂと接触している。
【００２１】
具体的には、図４に示されるように、アクチュエータ３０Ａの本体部３１のＺ１方向側の上面３５は、操作部１０の内側に設けられた突起部１３ａと接触しており、突起部１３ａとは、本体部３１の上面３５の中心よりもＸ２方向側で接触している。
【００２２】
また、図５に示されるように、アクチュエータ３０Ｂの本体部３１のＺ１方向側の上面３５は、操作部１０の内側に設けられた突起部１３ｂと接触しており、突起部１３ｂとは、本体部３１の上面３５の中心よりもＸ１方向側で接触している。
【００２３】
アクチュエータ３０Ａ、３０Ｂは、操作部１０における操作に伴いＺ１−Ｚ２方向に動く。具体的には、アクチュエータ３０Ａ、３０Ｂは、操作部１０における操作面１１を押すことにより、Ｚ２方向に動く。本実施の形態においては、操作部１０の内側に設けられた突起部１３ａ、１３ｂと接触しているアクチュエータ３０Ａ、３０Ｂの本体部３１の上面３５の位置を上面３５の中心よりずらすことにより、操作部１０によりアクチュエータ３０Ａ、３０Ｂが押された際に、各々のアクチュエータ３０Ａ、３０Ｂは、先に傾倒した動作を行う。
【００２４】
次に、ラバードームシート４０について図６に基づき説明する。本実施の形態においては、ラバードームシート４０は、合成ゴム等の弾性を有する材料により形成されており、略箱形のベース部４１には、Ｚ１方向側に出っ張った４つのラバードーム５１Ａ、５２Ａ、５１Ｂ、５２Ｂが形成されている。本実施の形態においては、ラバードーム５１Ａ、５１Ｂを第１のラバードームと記載し、ラバードーム５２Ａ、５２Ｂを第２のラバードームと記載する場合がある。
【００２５】
第１のラバードーム５１Ａ、５１Ｂの外側は、Ｚ１方向側に凸となる上部５３ａが形成されており、上部５３ａのＺ１方向側の上面５３ｂの中央部分には凹部５３ｃが設けられている。上部５３ａとベース部４１との間には、上部５３ａがＺ２方向に座屈するように変形する変形部５３ｄが形成されいる。同様に、第２のラバードーム５２Ａ、５２Ｂの外側は、Ｚ１方向側に凸となる上部５４ａが形成されており、上部５４ａのＺ１方向側の上面５４ｂの中央部分には凹部５４ｃが設けられている。上部５４ａとベース部４１との間には、上部５４ａがＺ２方向に座屈するように変形する変形部５４ｄが形成されている。
【００２６】
また、図４及び図５に示されるように、第１のラバードーム５１Ａ、５１Ｂの内側には、Ｚ２方向に凸となる下部５３ｅが形成されている。下部５３ｅのＺ２方向側の押下面５５の形状は半球状の球面であってもよく、非球面であってもよい。同様に、第２のラバードーム５２Ａ、５２Ｂの内側には、Ｚ２方向に凸となる下部５４ｅが形成されている。下部５３ｅのＺ２方向側の押下面５６の形状は半球状の球面であってもよく、非球面であってもよい。
【００２７】
第１のラバードーム５１Ａ、第２のラバードーム５２Ａは、アクチュエータ３０Ａに対応しているものであり、アクチュエータ３０Ａの押下部３２に設けられた凸部３３は第１のラバードーム５１Ａの凹部５３ｃに入り込んでおり、凸部３４は、第２のラバードーム５２Ａの凹部５４ｃ内に入り込んでいる。この状態においては、アクチュエータ３０Ａの押下部３２の底面３２ａは、第１のラバードーム５１Ａの上面５３ｂ及び第２のラバードーム５２Ａの上面５４ｂと接触している。
【００２８】
第１のラバードーム５１Ｂ、第２のラバードーム５２Ｂは、アクチュエータ３０Ｂに対応しているものであり、アクチュエータ３０Ｂの押下部３２に設けられた凸部３３は第１のラバードーム５１Ｂの凹部５３ｃに入り込んでおり、凸部３４は、第２のラバードーム５２Ｂの凹部５４ｃ内に入り込んでいる。この状態においては、アクチュエータ３０Ｂの押下部３２の底面３２ａは、第１のラバードーム５１Ｂの上面５３ｂ及び第２のラバードーム５２Ｂの上面５４ｂと接触している。
【００２９】
次に、メンブレンスイッチ６０について図７に基づき説明する。図７（ａ）は、図３（ｂ）における一点鎖線３Ａ−３Ｂにおいて切断したメンブレンスイッチ６０の断面図の拡大図であり、図７（ｂ）は、図３（ｂ）における一点鎖線３Ｃ−３Ｄにおいて切断したメンブレンスイッチ６０の断面図の拡大図である。
【００３０】
本実施の形態においては、メンブレンスイッチ６０は、上部シート６１と下部シート６２とがスペーサ６３を介して張り付けられている。上部シート６１には、導電性を有する材料により第１の上部接点７１Ａ、７１Ｂ、及び、第２の上部接点７２Ａ、７２Ｂが形成されている。また、下部シート６２には導電性を有する材料により第１の下部接点７３Ａ、７３Ｂ、及び、第２の下部接点７４Ａ、７４Ｂが形成されている。上部シート６１と下部シート６２とは、第１の上部接点７１Ａと第１の下部接点７３Ａとが対向し、第１の上部接点７１Ｂと第１の下部接点７３Ｂとが対向し、第２の上部接点７２Ａと第２の下部接点７４Ａとが対向し、第２の上部接点７２Ｂと第２の下部接点７４Ｂとが対向している状態で、スペーサ６３を介して張り付けられている。
【００３１】
スペーサ６３には、第１の上部接点７１Ａ及び第１の下部接点７３Ａが形成されている領域、及び、第１の上部接点７１Ｂ及び第１の下部接点７３Ｂが形成されている領域には、開口部６３ａが形成され空間となっている。また、第２の上部接点７２Ａ及び第２の下部接点７４Ａが形成されている領域、及び、第２の上部接点７２Ｂ及び第２の下部接点７４Ｂが形成されている領域には、開口部６３ｂが形成され空間となっている。
【００３２】
メンブレンスイッチ６０は、上部シート６１の第１の上部接点７１Ａが形成されている面とは反対側の面を押すことにより、上部シート６１が撓み、第１の上部接点７１Ａと第１の下部接点７３Ａとが接触しオンとなる。また、上部シート６１の第１の上部接点７１Ｂが形成されている面とは反対側の面を押すことにより、上部シート６１が撓み、第１の上部接点７１Ｂと第１の下部接点７３Ｂとが接触しオンとなる。また、上部シート６１の第２の上部接点７２Ａが形成されている面とは反対側の面を押すことにより、上部シート６１が撓み、第２の上部接点７２Ａと第２の下部接点７４Ａとが接触しオンとなる。また、上部シート６１の第２の上部接点７２Ｂが形成されている面とは反対側の面を押すことにより、上部シート６１が撓み、第２の上部接点７２Ｂと第２の下部接点７４Ｂとが接触しオンとなる。
【００３３】
本実施の形態におけるスイッチ装置においては、メンブレンスイッチ６０の第１の上部接点７１Ａ及び第１の下部接点７３Ａ、第１の上部接点７１Ｂ及び第１の下部接点７３Ｂ、第２の上部接点７２Ａ及び第２の下部接点７４Ａ、第２の上部接点７２Ｂ及び第２の下部接点７４Ｂの各々は、ラバードームシート４０に設けられた４つのラバードーム５１Ａ、５１Ｂ、５２Ａ、５２Ｂに対応する位置に設けられている。即ち、メンブレンスイッチ６０の上の所定の位置にラバードームシート４０が設置されている。
【００３４】
具体的には、第１の上部接点７１Ａ（一方の上部接点の一例）及び第１の下部接点７３Ａ（一方の下部接点の一例）は、ラバードームシート４０の第１のラバードーム５１Ａ（２つのラバードームの一方の一例）に対応する位置に配置されており、第２の上部接点７２Ａ（他方の上部接点の一例）及び第２の下部接点７４Ａ（他方の下部接点の一例）は、ラバードームシート４０の第２のラバードーム５２Ａ（２つのラバードームの他方の一例）に対応する位置に配置されている。また、第１の上部接点７１Ｂ（一方の上部接点の一例）及び第１の下部接点７３Ｂ（一方の下部接点の一例）は、ラバードームシート４０の第１のラバードーム５１Ｂ（２つのラバードームの一方の一例）に対応する位置に配置されており、第２の上部接点７２Ｂ（他方の上部接点の一例）及び第２の下部接点７４Ｂ（他方の下部接点の一例）は、ラバードームシート４０の第２のラバードーム５２Ｂ（２つのラバードームの他方の一例）に対応する位置に配置されている。
【００３５】
従って、第１の上部接点７１Ａと第１の下部接点７３Ａとにより、第１のラバードーム５１Ａの下部５３ｅの押下面５５により押される第１のスイッチが形成される。また、第２の上部接点７２Ａと第２の下部接点７４Ａとにより、第２のラバードーム５２Ａの下部５４ｅの押下面５６により押される第２のスイッチが形成される。このような、第１のラバードーム５１Ａに押される第１のスイッチと、第２のラバードーム５２Ａに押される第２のスイッチは、アクチュエータ３０Ａにより操作される。
【００３６】
また、第１の上部接点７１Ｂと第１の下部接点７３Ｂとにより、第１のラバードーム５１Ｂの下部５３ｅの押下面５５により押される第１のスイッチが形成される。第２の上部接点７２Ｂと第２の下部接点７４Ｂとにより、第２のラバードーム５２Ｂの下部５４ｅの押下面５６により押される第２のスイッチが形成される。このような、第１のラバードーム５１Ｂに押される第１のスイッチと、第２のラバードーム５２Ｂに押される第２のスイッチは、アクチュエータ３０Ｂにより操作される。
【００３７】
具体的には、操作部１０の操作面１１を下に、即ち、Ｚ２方向側に押すことにより、操作部１０がＺ２方向に動き、操作部１０の内側に設けられた一方の突起部１３ａにより、アクチュエータ３０Ａの上面３５が押され、他方の突起部１３ｂによりアクチュエータ３０Ｂの上面３５が押される。
【００３８】
このように、操作部１０の内側に設けられた一方の突起部１３ａにより、アクチュエータ３０Ａの上面３５が押されることにより、アクチュエータ３０Ａが傾倒する。これにより、最初に、アクチュエータ３０Ａの押下部３２の凸部３３が凹部５３ｃに入り込んでいる第１のラバードーム５１Ａを押し、第１のラバードーム５１Ａの変形部５３ｄが変形し、第１のラバードーム５１Ａの下部５３ｅの押下面５５が、上部シート６１の第１の上部接点７１Ａが形成されている領域の反対側の面を押し、第１の上部接点７１Ａと第１の下部接点７３Ａとが接触し電気的に接続され、第１のスイッチがオンとなる。
【００３９】
この状態で、更に、操作部１０の操作面１１を下に、即ち、Ｚ２方向側に押すことにより、アクチュエータ３０Ａが動き、アクチュエータ３０Ａの押下部３２の凸部３４が凹部５４ｃに入り込んでいる第２のラバードーム５２Ａを押し、第２のラバードーム５２Ａの変形部５４ｄが変形し、第２のラバードーム５２Ａの下部５４ｅの押下面５６が、上部シート６１の第２の上部接点７２Ａが形成されている領域の反対側の面を押し、第２の上部接点７２Ａと第２の下部接点７４Ａとが接触し電気的に接続されり、第２のスイッチがオンとなる。
【００４０】
同様に、操作部１０の内側に設けられた他方の突起部１３ｂにより、アクチュエータ３０Ｂの上面３５が押されることにより、アクチュエータ３０Ｂが傾倒する。これにより、最初に、アクチュエータ３０Ｂの押下部３２の凸部３３が凹部５３ｃに入り込んでいる第１のラバードーム５１Ｂを押し、第１のラバードーム５１Ｂの変形部５３ｄが変形し、第１のラバードーム５１Ｂの下部５３ｅの押下面５５が、上部シート６１の第１の上部接点７１Ｂが形成されている領域の反対側の面を押し、第１の上部接点７１Ｂと第１の下部接点７３Ｂとが接触し電気的に接続され、第１のスイッチがオンとなる。
【００４１】
この状態で、更に、操作部１０の操作面１１を下に、即ち、Ｚ２方向側に押すことにより、アクチュエータ３０Ｂが動き、アクチュエータ３０Ｂの押下部３２の凸部３４が凹部５４ｃに入り込んでいる第２のラバードーム５２Ｂを押し、第２のラバードーム５２Ｂの変形部５４ｄが変形し、第２のラバードーム５２Ｂの下部５４ｅの押下面５６が、上部シート６１の第２の上部接点７２Ｂが形成されている領域の反対側の面を押し、第２の上部接点７２Ｂと第２の下部接点７４Ｂとが接触し電気的に接続されり、第２のスイッチがオンとなる。
【００４２】
従って、本実施の形態におけるスイッチ装置では、操作部１０の操作面１１を下に、即ち、Ｚ２方向側に押すことにより、最初に第１のスイッチがオンとなる。この状態では、第２のスイッチはオフのままである。この後、更に、操作部１０の操作面１１を下に押すことにより、第２のスイッチがオンとなり、第１のスイッチ及び第２のスイッチがともにオンとなる。
【００４３】
（ラバードーム）
以上のように、２段スイッチでは、アクチュエータ３０Ａまたは３０Ｂにより、ラバードームが斜めに押されることによりラバードームが変形し、ラバードームの下部の押下面が、メンブレンスイッチの上部シート６１を上から押し、上部シート６１が撓み、上部接点と下部接点とが接触することによりオンとなる。尚、以下の説明では、第１の上部接点７１Ａ及び第１の上部接点７１Ｂを第１の上部接点７１とし、第２の上部接点７２Ａ及び第２の上部接点７２Ｂを第２の上部接点７２とし、第１の下部接点７３Ａ及び第１の下部接点７３Ｂを第１の下部接点７３とし、第２の下部接点７４Ａ及び第２の下部接点７４Ｂを第２の下部接点７４として説明する。
【００４４】
ところで、図８に示されるように、ラバードーム９５０の上部９５０ａの凹部９５０ｃの中心と凸状の下部９５０ｅの中心とが一致している場合について考える。この場合、アクチュエータ３０Ａ等の押下部３２によりラバードーム９５０の上部９５０ａが、破線矢印Ｂに示す方向より斜めに押されると、図８（ｂ）に示すように、ラバードーム９５０の下部９５０ｅの押下面９５５が、メンブレンスイッチ６０の上部シート６１と接触し、上部シート６１を押す。この際、ラバードーム９５０の上部９５０ａが、破線矢印Ｂに示す方向より斜めに押されるため、ラバードーム９５０の下部９５０ｅは、上部シート６１の第１の上部接点７１の中心７１ａの反対側の面の位置６１ａからずれた位置６１ｂが押される。
【００４５】
メンブレンスイッチ６０は、理想的には、上部シート６１の第１の上部接点７１の中心７１ａの反対側の位置６１ａが押されることが好ましく、この場合には、所望の力で、上部シート６１が撓み、上部シート６１の第１の上部接点７１と下部シート６２の第１の下部接点７３とを接触させて第１のスイッチをオンにすることができる。
【００４６】
しかしながら、ラバードーム９５０の上部９５０ａが斜め方向より押されると、ラバードーム９５０の下部９５０ｅの押下面９５５がメンブレンスイッチを押す位置は、上部シート６１の第１の上部接点７１の中心７１ａの反対側の位置６１ａからずれた位置６１ｂとなる。この場合には、所望の力で押しても、上部シート６１を十分に撓ませることができず、第１のスイッチをオンにすることができない場合がある。このため、第１のスイッチをオンさせるためには、更に強い力で押す必要があるが、ラバードーム９５０の下部９５０ｅの押下面９５５と、メンブレンスイッチ６０の上部シート６１との接触位置に依存して、即ち、ずれた位置６１ｂのずれ量に依存して、第１のスイッチをオンにするために必要な力にバラツキが生じる。従って、操作する人が同じ力でスイッチ装置の操作部を押しても、押し方や向きにより、オンする場合とオンしない場合とが生じ、バラツキが生じやすい。
【００４７】
（本実施の形態におけるラバードーム）
次に、本実施の形態におけるスイッチ装置のラバードームについて説明する。図９に示されるように、本実施の形態におけるスイッチ装置の第１のラバードーム５１の下部５３ｅの押下面５５は、半球状の球面または非球面になっており、下部５３ｅの押下面５５の中心５５ａは、上部５３ａの凹部５３ｃの中心５３ｆとはずれている。具体的には、下部５３ｅの押下面５５の中心５５ａは、凹部５３ｃの中心５３ｆよりも、第１のラバードーム５１が押される方向側、即ち、破線矢印Ｂに示されるように押す方向の側となるＸ１方向の側に形成されている。図９は、第１のラバードーム５１のＺＸ面における断面図である。尚、図９では、第１のラバードーム５１Ａ、５１Ｂについて、第１のラバードーム５１として説明する。
【００４８】
従って、アクチュエータ３０Ａ等の押下部３２により第１のラバードーム５１の上部５３ａが、破線矢印Ｂに示す方向より斜めに押されると、図９（ｂ）に示すように、第１のラバードーム５１の下部５３ｅの押下面５５がメンブレンスイッチ６０の上部シート６１と接触する。本実施の形態におけるスイッチ装置では、第１のラバードーム５１の下部５３ｅの押下面５５の中心５５ａは、上部５３ａの凹部５３ｃの中心５３ｆよりも、破線矢印Ｂに示す押される方向側、即ち、Ｘ１方向の側となるように形成されているため、破線矢印Ｂに示す方向より、第１のラバードーム５１の上部５３ａが押されると、第１のラバードーム５１の下部５３ｅの押下面５５は、メンブレンスイッチ６０の上部シート６１の第１の上部接点７１の中心７１ａの反対側の面の位置６１ａの近傍を押す。このため、第１の上部接点７１と第１の下部接点７３とは、第１の上部接点７１の中心７１ａの近傍において接触するため、操作する人が所望の力でスイッチ装置の操作部を押すとオンとなり、バラツキが生じることを防ぐことができる。
【００４９】
また、上記においては、第１のラバードーム５１について説明したが、第２のラバードーム５２についても同様に形成してもよい。図１０は、第２のラバードーム５２のＺＸ面における断面図である。尚、図１０では、第２のラバードーム５２Ａ、５２Ｂについて、第２のラバードーム５２として説明する。
【００５０】
本実施の形態におけるスイッチ装置では、第２のラバードーム５２は、破線矢印Ｃに示す方向より押されるが、第２のラバードーム５２の下部５４ｅの押下面５６の中心５６ａは、上部５４ａの凹部５４ｃの中心５４ｆよりも、破線矢印Ｃに示す押される方向側、即ち、Ｘ２方向の側となるように形成されている。
【００５１】
従って、アクチュエータ３０Ａ等の押下部３２により第２のラバードーム５２の上部５４ａが、破線矢印Ｃに示す方向より斜めに押されると、図１０（ｂ）に示すように、第２のラバードーム５２の下部５４ｅの押下面５６がメンブレンスイッチ６０の上部シート６１と接触する。本実施の形態におけるスイッチ装置では、第２のラバードーム５２の下部５４ｅの押下面５６の中心５６ａは、上部５４ａの凹部５４ｃの中心５４ｆよりも、破線矢印Ｃに示す押される方向側、即ち、Ｘ２方向の側となるように形成されているため、破線矢印Ｃに示す方向より、第２のラバードーム５２の上部５４ａが押されると、第２のラバードーム５２の下部５４ｅの押下面５６は、メンブレンスイッチ６０の上部シート６１の第２の上部接点７２の中心７２ａの反対側の面の位置６１ｃの近傍を押す。このため、第２の上部接点７２と第２の下部接点７４とは、第２の上部接点７２の中心７２ａの近傍において接触するため、操作する人が所望の力でスイッチ装置の操作部を押すとオンとなり、バラツキが生じることを防ぐことができる。
【００５２】
また、本実施の形態におけるスイッチ装置のラバードームは、図１１に示されるように、第１のラバードーム５１の下部５３ｅは、上部５３ａからＺ２方向に向かう円柱状の柱部５３ｇと、柱部５３ｇのＺ２方向側の端の押下面５６となる曲面部５３ｈにより形成されたものであってもよい。
【００５３】
また、図１２に示されるように、メンブレンスイッチは、下部シート６２には、一方の下部接点７３ａ及び他方の下部接点７３ｂが設けられている構造のものであってもよい。この構造のメンブレンスイッチでは、上部シート６１が押されることにより、上部シート６１の第１の上部接点７１と、下部シート６２の一方の下部接点７３ａ及び他方の下部接点７３ｂの双方が接触する。これにより、第１の上部接点７１を介し、一方の下部接点７３ａと他方の下部接点７３ｂとが電気的に接続され、オンとなる。
【００５４】
以上、実施の形態について詳述したが、特定の実施形態に限定されるものではなく、特許請求の範囲に記載された範囲内において、種々の変形及び変更が可能である。
【符号の説明】
【００５５】
１０        操作部
１１        操作面
１２        天井面
１３ａ、１３ｂ      突起部
２０        支持部
２１        上ケース
３０Ａ、３０Ｂ      アクチュエータ
３１        本体部
３２        押下部
３２ａ      底面
３３、３４        凸部
３５        上面
４０        ラバードームシート
４１        ベース部
５１Ａ、５１Ｂ      ラバードーム（第１のラバードーム）
５２Ａ、５２Ｂ      ラバードーム（第２のラバードーム）
５３ａ、５４ａ      上部
５３ｂ、５４ｂ      上面
５３ｃ、５４ｃ      凹部
５３ｄ、５４ｄ      変形部
５３ｅ、５４ｅ      下部
５３ｆ、５４ｆ      凹部の中心
５５、５６        押下面
５５ａ、５６ａ      押下面の曲面
６０        メンブレンスイッチ
６１        上部シート
６２        下部シート
６３        スペーサ
７１Ａ、７１Ｂ      第１の上部接点
７２Ａ、７２Ｂ      第２の上部接点
７３Ａ、７３Ｂ      第１の下部接点
７４Ａ、７４Ｂ      第２の下部接点
８０        下ケース
【図１】
2019125424.tif 000003
【図２】
2019125424.tif 000004
【図３】
2019125424.tif 000005
【図４】
2019125424.tif 000006
【図５】
2019125424.tif 000007
【図６】
2019125424.tif 000008
【図７】
2019125424.tif 000009
【図８】
2019125424.tif 000010
【図９】
2019125424.tif 000011
【図１０】
2019125424.tif 000012
【図１１】
2019125424.tif 000013
【図１２】
2019125424.tif 000014